(57)【特許請求の範囲】
【請求項１】
外側部材（４）の内側に内側部材（５）を長手方向伸縮自在に挿入し、外側部材（４）と内側部材（５）との間に内側部材（５）の外側部材（４）に対する相対移動を規制するロック機構（１１）を設けており、
前記ロック機構（１１）は、内側部材（５）に設けた被係合部（１３）に係脱自在に係合する係合部（２１）を有するストッパ（１２）と、このストッパ（１２）を被係合部（１３）に向けて付勢する付勢部材（１５）と、外側部材（４）に設けられていて前記ストッパ（１２）の前記被係合部（１３）に対する係脱動作を案内すると共に前記付勢部材（１５）を支持する支持ブラケット（１４）とを有しており、
前記ストッパ（１２）と支持ブラケット（１４）との間にストッパ（１２）を前記被係合部（１３）から離脱する方向に動かしながら外側部材（４）に対する傾動を許容する隙間（３９）を形成しており、ストッパ（１２）と外側部材（４）との間に前記傾動したストッパ（１２）を保持する離脱保持手段（３５）を設けたことを特徴とする伸縮部材のロック構造。
【請求項２】
前記付勢部材（１５）を巻軸線（Ｘ）が被係合部（１３）に垂直なコイルバネで形成し、その一端部（１５ａ）を前記ストッパ（１２）に当接しかつその他端部（１５ｂ）を前記支持ブラケット（１４）に当接しており、前記ストッパ（１２）は、前記付勢部材（１５）を介して支持ブラケット（１４）に浮動状態で支持されていることを特徴とする請求項１に記載の伸縮部材のロック構造。
【請求項３】
前記離脱保持手段（３５）は、前記ストッパ（１２）の係合部（２１）に設けられた掛止部（３６）と、外側部材（４）側に設けられた被掛止部（３７）とを有していることを特徴とする請求項１または２に記載の伸縮部材のロック構造。
【請求項４】
前記外側部材（４）に、前記ストッパ（１２）の係合部（２１）を貫通させて係脱方向への移動を案内する貫通孔（２５）を形成し、前記掛止部（３６）を前記係合部（２１）に切欠形状に形成して前記貫通孔（２５）の縁部（２５ａ）に掛合可能にしていることを特徴とする請求項３に記載の伸縮部材のロック構造。
【請求項５】
前記支持ブラケット（１４）は、外側部材（４）に取付けられる一対の脚部（２７）とこの一対の脚部（２７）を連結する連結部（２８）とを有し、前記ストッパ（１２）は前記係合部（２１）を有していて前記連結部（２８）に跨るように設けられた中央部（２２）と、この中央部（２２）から二股状に突出する一対のストッパ操作用操作腕部（２３）とを有することを特徴とする請求項１から４のいずれかに記載の伸縮部材のロック構造。
【請求項６】
前記一対の操作腕部（２３）の一方を、ストッパ（１２）の係合部（２１）が内側部材（５）の被係合部（１３）に係合した状態を解除して離脱保持手段（３５）によって傾動したストッパ（１２）を保持する保持状態までの動作を行う解除用操作腕部（２３ａ）とし、他方の操作腕部（２３）を、前記ストッパ（１２）の保持状態を解除するとともにこのストッパ（１２）の係合部（２１）を被係合部（１３）に係合させて内側部材（５）を外側部材（４）に固定する固定用操作腕部（２３ｂ）としていることを特徴とする請求項５に記載の伸縮部材のロック構造。
【請求項７】
前記外側部材（４）と内側部材（５）とで伸縮自在な作業足場板を構成していることを特徴とする請求項１から６のいずれかに記載の伸縮部材のロック構造。
【発明の詳細な説明】
【技術分野】
【０００１】
本発明は、外側部材と内側部材を相対移動可能として伸縮自在とされた伸縮部材のロック構造に関する。
【背景技術】
【０００２】
従来、この種の技術として、例えば、高所作業等に使用する、作業台の天板ユニットを外側天板の内側に内側天板を天板長手方向に相対移動可能に嵌装して伸縮自在とし、内側天板と外側天板の相対移動を規制するロック手段を設けた作業台がある（例えば、特許文献１参照）。
この作業台に設けられたロック手段は、内側天板に設けたラック歯を有する係合部材と、このラック歯に係合する係合歯を有するストッパとを備えている。
ストッパは、取付具を介して外側天板に取り付けられている。また、ストッパはこの取付具に組み付けられたコイルバネによって、内側天板に設けた係合部材のラック歯に向かって付勢されている。
【０００３】
ストッパの係合歯が前記係合部材のラック歯に係合して内側天板が相対移動しないようにロックした状態を解除して、内側天板を移動可能にするには、ストッパをコイルバネの付勢力に抗する方向に引き、その後このストッパを９０°回動させ、このストッパを取付部材に設けた係止突起に係止させる。これによって、ストッパは、前記係合部材から離脱した位置で係止突起に保持され、内側天板を伸ばして天板の長さを変更できるようになっている。
【特許文献１】特開２０００−６４５９７号公報
【発明の開示】
【発明が解決しようとする課題】
【０００４】
従来の作業台のロック手段は、ロックを解除するときに、ストッパをコイルバネの付勢力に抗して引く動作と、ストッパを９０°回動させる動作の２動作が必要であるため、ロック解除に手間がかかっていた。
本発明は上記の事情に鑑みてなされたものであり、外側部材に内側部材を挿入して伸縮自在とされた伸縮部材のロック解除をワンタッチで行えるようにした伸縮部材のロック構造を提供することを目的とする。
【課題を解決するための手段】
【０００５】
本発明は上記の目的を達成するために、以下の技術的手段を講じた。
すなわち、第１に、本発明は、外側部材４の内側に内側部材５を長手方向伸縮自在に挿入し、外側部材４と内側部材５との間に内側部材５の外側部材４に対する相対移動を規制するロック機構１１を設けており、前記ロック機構１１は、内側部材５に設けた被係合部１３に係脱自在に係合する係合部２１を有するストッパ１２と、このストッパ１２を被係合部１３に向けて付勢する付勢部材１５と、外側部材４に設けられていて前記ストッパ１２の前記被係合部１３に対する係脱動作を案内すると共に前記付勢部材１５を支持する支持ブラケット１４とを有しており、前記ストッパ１２と支持ブラケット１４との間にストッパ１２を前記被係合部１３から離脱する方向に動かしながら外側部材４に対する傾動を許容する隙間３９を形成しており、ストッパ１２と外側部材４との間に前記傾動したストッパ１２を保持する離脱保持手段３５を設けたことを特徴とする。
【０００６】
これによれば、ストッパ１２を被係合部１３から離脱させたながらこのストッパ１２を傾動させて離脱保持手段３５にて保持するだけでロック解除動作を完了でき、したがってワンタッチでロック解除ができるようになる。
第２に、前記付勢部材１５を巻軸線Ｘが被係合部１３に垂直なコイルバネで形成し、その一端部１５ａを前記ストッパ１２に当接しかつその他端部１５ｂを前記支持ブラケット１４に当接しており、前記ストッパ１２は、前記付勢部材１５を介して支持ブラケット１４に浮動状態で支持されていることを特徴とする。
【０００７】
これによれば、ストッパ１２をコイルバネを介して支持ブラケット１４によって浮動状態で支持することで、ロック機構１１を簡単な構成としてストッパを容易に操作できるようになる。
第３に、前記離脱保持手段３５は、前記ストッパ１２の係合部２１に設けられた掛止部３６と、外側部材４側に設けられた被掛止部３７とを有していることを特徴とする。
これによれば、ストッパの掛止部３６を外側部材４の被掛止部３７に掛けることで、ストッパ１２を内側部材５の被係合部１３から離脱させた位置で確実に保持でき、製作も容易にできる。
【０００８】
第４に、前記外側部材４に、前記ストッパ１２の係合部２１を貫通させて係脱方向への移動を案内する貫通孔２５を形成し、前記掛止部３６を前記係合部２１に切欠形状に形成して前記貫通孔２５の縁部２５ａに掛合可能にしていることを特徴とする。
これによれば、外側部材４に貫通孔２５を形成することによって、ストッパ１２の係脱方向への案内を確実に行うとともに、掛止部３６、被掛止部３７を簡単な構成として製造が容易になる。
第５に、前記支持ブラケット１４は、外側部材４に取付けられる一対の脚部２７とこの一対の脚部２７を連結する連結部２８とを有し、前記ストッパ１２は前記係合部２１を有していて前記連結部２８に跨るように設けられた中央部２２と、この中央部２２から二股状に突出する一対のストッパ操作用操作腕部２３とを有することを特徴とする。
【０００９】
これによれば、ストッパ１２と支持ブラケット１４とを抱き合わせるようにしてコンパクトな構成にできるとともに、操作腕部２３を介してストッパ１２を容易に操作できるようになる。
第６に、前記両側の操作腕部２３の一方を、ストッパ１２の係合部２１が内側部材５の被係合部１３に係合した状態を解除して離脱保持手段３５によって傾動したストッパ１２を保持する保持状態までの動作を行う解除用操作腕部２３ａとし、他方の操作腕部２３を、前記ストッパ１２の保持状態を解除するとともにこのストッパ１２の係合部２１を被係合部１３に係合させて内側部材５を外側部材４に固定する固定用操作腕部２３ｂとしていることを特徴とする。
【００１０】
これによれば、内側部材５の被係合部１３からのストッパ１２の離脱から離脱保持までの動作と、ストッパ１２の離脱保持を解除して前記被係合部１３に係合させるまでの動作とをワンタッチでできるようになる。
第７に、前記外側部材４と内側部材５とで伸縮自在な作業足場板を構成していることを特徴とする。
これによれば、作業足場板の伸縮の規制動作をワンタッチでできるようになる。
【発明の効果】
【００１１】
本発明によれば、外側部材に内側部材を挿入して伸縮自在とされた伸縮部材のロック解除をワンタッチで行うことができる。
【発明を実施するための最良の形態】
【００１２】
以下、図面を参照しながら本発明の実施の形態を説明する。
図４〜６は、本発明の例として、上部の天板２（作業足場板）が伸縮自在とされている作業台１を示している。この作業台１の天板２は平面視長方形状とされており、この天板２の長手方向両端部には支持脚３が設けられている。
天板２は、外側部材である外側天板４と、内側部材である内側天板５とを備えており、この外側天板４と内側天板５は、下方開放状に形成されている。内側天板５は、外側天板４よりもやや小さく形成されており、外側天板４に内側天板５を挿入し、外側天板４と内側天板５とを相対移動可能にすることで、天板２は、その長手方向に伸縮自在な伸縮部材となっている。
【００１３】
図５において、支持脚３は、左右一対の支柱６を備えており、支柱６の中途部同士は、複数の踏桟７で連結されている。各支持脚３の上部には、天板２に連結するための連結板８が設けられ、天板２の端部には、この連結板８に連結される連結ブラケット９が設けられており、連結板８と連結ブラケット９は枢支軸１０を介して連結されている。これによって、支持脚３は、図４に示すような天板２を支持する支持姿勢と、この支持姿勢から天板２の下面側に折り畳まれる折り畳み姿勢とに姿勢変更可能となっている。
図１〜４において、外側天板４と内側天板５の間には、天板２の伸縮を規制するロック機構１１が設けられている。ロック機構１１は、外側天板４に設けられたストッパ１２と、内側天板５に設けられていてストッパ１２が係脱する被係合部１３を備えている。ストッパ１２は、外側天板４の外側面に設けられた支持ブラケット１４に支持されている。ストッパ１２と支持ブラケット１４の間には、ストッパ１２を内側天板５の被係合部１３に向けて付勢する付勢部材１５が設けられている。
【００１４】
前記ロック機構１１は、支持ブラケット１４がストッパ１２を前記被係合部１３に対して所定の係脱動作をするように案内することで、内側天板５を外側天板４にロックし、またはこのロックを解除できるようになっている。
すなわち、ロック機構１１は、支持ブラケット１４の案内によってストッパ１２を内側天板５の被係合部１３に係合させることで、内側天板５が移動しないようにロックでき、ストッパ１２を操作して前記係合を解除することによって、ロックを解除できるようになっている。また、ロックを解除した状態では、ストッパ１２は、被係合部１３から離脱する方向に傾動するとともに、被係合部１３から離脱した所定位置で外側天板４に保持されるようになっている。
【００１５】
前記被係合部１３は、表面に凹部１７および凸部１８（ラック歯）を連続状に形成した板部材１９を内側天板５の長手方向に沿って形成された溝部１６に挿入し、この板部材１９をリベット等の固定具により内側天板５により固定することによって形成される。
ストッパ１２は、被係合部１３に係脱自在に係合する係合部２１を備えた中央部２２と、この中央部２２から二股状に突出したストッパ１２操作用の一対の操作腕部２３（２３ａ、２３ｂ）を有している。
中央部２２は、その中途部に貫通孔２２ｃが形成されており、これによってストッパ１２の軽量化が図られている。中央部２２に形成された係合部２１は、前記被係合部１３の凹部１７に嵌る複数の突起部２４を有している。外側天板４の側壁４ａには、前記ストッパ１２を挿通する四角形状の貫通孔２５が形成されており、この貫通孔２５にはストッパ１２の中央部２２が挿通されている。ストッパ１２は、この貫通孔２５によって、内側天板５の被係合部１３に対する係脱方向の移動を案内されるようになっている。
【００１６】
支持ブラケット１４は、外側天板４の外面に取付けられる一対の脚部２７と、この一対の脚部２７を連結する連結部２８を有している。
前記脚部２７の基端側には、支持ブラケット１４を外側天板４に取り付けるための取付板部２９が設けられている。この取付板部２９は、脚部２７に対してほぼ直交して脚部２７の外側に突出するように形成されており、リベット等の固定具によって外側天板４の側壁４ａに固定されている。
前記連結部２８には、前記ストッパ１２の移動を案内する案内部３１が設けられている。この案内部３１は、板状とされていて、連結部２８から外側天板４に向かって前記脚部２７とほぼ平行に突出形成されている。案内部３１は、互いに対向した一対とされており、ストッパ１２の一対の操作腕部２３ａ、２３ｂに対応して連結部２８に設けられている。
【００１７】
図１において、前記ストッパ１２の一対の操作腕部２３ａ、２３ｂは、支持ブラケット１４の連結部２８の両側から外方に突出しており、ストッパ１２はその中央部２２がこの連結部２８を跨るように配置されている。したがってストッパ１２と支持ブラケット１４とは、互いに抱き合わせ状とされて配置されることになり、これによってロック機構１１は部品点数が少なく、かつコンパクトな構成となっており、加工・製造が容易にできるようになっている。
前記付勢部材１５にはコイルバネを採用しており、この付勢部材１５は、その一端部１５ａが支持ブラケット１４の連結部２８の内面に当接され、その他端部１５ｂがストッパ１２に当接されることで、支持ブラケット１４とストッパ１２により支持されている。ストッパ１２の一対の操作腕部２３ａ、２３ｂの間には付勢部材１５の他端部１５ｂが当接する当接面３２が形成されており、この当接面３２のほぼ中央には、付勢部材１５を取り付ける円柱状の取付部３３が設けられている。付勢部材１５の他端部１５ｂは、この取付部３３に嵌合され、当接面３２に当接されることによってストッパ１２に支持されている。付勢部材１５はその巻軸線Ｘが前記被係合部１３にほぼ垂直となるように配置されており、その付勢力がストッパ１２に効率よく伝わるようになっている。
【００１８】
このような構成により、ストッパ１２は、付勢部材１５を介して支持ブラケット１４に対して浮動状態で支持されており、これによって付勢部材１５は、ストッパ１２を内側天板５の被係合部１３に向けて付勢するとともに、ストッパ１２の前記被係合部１３に対する係脱方向への移動や、付勢部材１５の傾動に対応して変形できるようになっている。ここで、「浮動状態」とは、ストッパ１２が支持ブラケット１４に対して四方八方に動きうるように支持されている状態をいう。
前記ストッパ１２と外側天板４の間には、被係合部１３から離脱したストッパ１２を保持する離脱保持手段３５が設けられている。
【００１９】
この離脱保持手段３５は、ストッパ１２側に設けた掛止部３６と、外側天板４側に設けた被掛止部３７を有している。掛止部３６は、ストッパ１２の係合部２１に設けられており、この係合部２１の一部を切り欠いた切欠形状とされている。
掛止部３６は、ストッパ１２を被係合部１３から離脱させたときに、外側天板４に形成された貫通孔２５の縁部２５ａに掛合するようになっており、この貫通孔２５の縁部２５ａが前記被掛止部３７となっている。このように、掛止部３６、被掛止部３７は構造が簡単であるので、加工・製造が容易にできるようになっている。
【００２０】
ストッパ１２の一対の操作腕部２３ａ、２３ｂの一方は、ロック状態（ストッパ１２の係合部２１が内側天板５の被係合部１３に係合している状態をいう）にあるストッパ１２を被係合部１３から離脱させてロックを解除するためのロック解除用操作腕部２３ａとされている。
ロック状態において、このロック解除用操作腕部２３ａに指を掛けて引くと、ストッパ１２の係合部２１が内側天板５の被係合部１３から離れ、さらにストッパ１２は、所定の角度で傾動する。このとき、ストッパ１２の中央部２２のロック解除用操作腕部２３ａ側の側面２２ａは、外側天板４の貫通孔２５の縁部２５ａに当接して摺動し、この縁部２５ａはストッパ１２を所定の離脱位置に案内する。さらにロック解除用操作腕部２３ａを引くと、ストッパ１２の掛止部３６に外側天板４の被掛止部３７が嵌合し、これによって離脱保持手段３５はストッパ１２をその傾動姿勢にて保持するようになっている。
【００２１】
なお、ストッパ１２の係合部２１は、中央部２２の中央（付勢部材１５の巻軸線Ｘに相当する位置）からロック解除用操作腕部２３ａ寄りにずらされて設けられており、これによって、ロック解除用操作腕部２３ａの少しの動作で、ストッパ１２を内側天板５の被係合部１３から離脱させるとともに、離脱保持手段３５による保持位置まで移動させることができるようになっている。
ストッパ１２の他方の操作腕部２３ｂは、離脱保持手段３５によって保持されているストッパ１２の保持状態を解除し、ストッパ１２の係合部２１を被係合部１３に係合させて内側天板５を固定する固定用操作腕部とされている。
【００２２】
ストッパ１２が離脱保持手段３５によって保持されている状態（以下、保持状態という）において、前記固定用操作腕部２３ｂに指を掛けて引くと、ストッパ１２の掛止部３６が外側天板４の被掛止部３７から離れ、保持状態が解除される。保持状態が解除され、固定用操作腕部２３ｂに掛けた指の力を弱めると、ストッパ１２は、付勢部材１５の付勢力によって、内側天板５の被係合部１３に向かって移動し、ストッパ１２の係合部２１が内側天板５の被係合部１３の凹部１７に嵌合し、内側天板５のロック（固定）がなされる。
このように、ロック機構１１は、ロック状態において、ストッパ１２のロック解除用操作腕部２３ａを引くだけで、内側天板５のロックを解除し、かつストッパ１２が不意に被係合部１３に係合しないように、ストッパ１２が被係合部１３から離脱した状態で保持できる。同様に、内側部材５を外側部材４に固定する場合にもストッパ１２の固定用操作腕部２３ｂを引くだけでよく、ワンタッチで内側部材５のロックおよびロック解除ができる。
【００２３】
図１に示すように、ロック状態において、固定用操作腕部２３ｂとこれに対応する支持ブラケット１４の案内部３１との間には隙間３９が形成されており、ロック解除用操作腕部２３ａは、これに対応する案内部３１に当接している。
一方、ロック状態において、ストッパ１２の中央部２２の固定用操作腕部２３ｂ側の側面２２ｂと外側天板４の貫通孔２５の被掛止部３７である縁部２５ａとの間には隙間４０が形成されており、この被掛止部３７とは反対側の縁部２５ｂは中央部２２の前記側面とは反対側の側面に当接している。
【００２４】
上述のように、ストッパ１２の係合部２１が内側天板５の被係合部１３に係合する場合、ストッパ１２のロック解除用操作腕部２３ａに、これに対応する支持ブラケット１４の案内部３１が当接するとともに、外側天板４の貫通孔２５の被掛止部３７の反対側の縁部２５ｂがストッパ１２の中央部２２側面に当接して、ストッパ１２を被係合部１３に案内する。
一方、ロック状態からストッパ１２を操作してロックの解除を行う場合、ストッパ１２の固定用操作腕部２３ｂとこれに対応する支持ブラケット１４の案内部３１との間、およびストッパ１２の中央部２２側面と外側天板４の被掛止部３７である貫通孔２５の縁部２５ａとの間には、隙間３９、４０が形成されているので、浮動状態のストッパ１２は、ロックを解除するときに、所定の傾動姿勢への姿勢変更が許容される。
【００２５】
すなわち、支持ブラケット１４および外側天板４の貫通孔２５は、内側天板５の被係合部１３へのストッパ１２の係脱方向への移動を案内するとともに、ストッパ１２をストッパ１２を前記被係合部１３から離脱する方向に動かしたときの外側天板４に対する傾動を許容している。
本発明は上記の実施形態に限らず、以下のように種々の変更・変形が可能である。
例えば、上記の実施形態では、伸縮部材の例として支持脚３を有する作業台１の天板２を説明したが、天板２に支持脚３を設けずに、伸縮自在な作業足場板とした場合にも本発明を適用できる。
【００２６】
また、本発明は、図７に示すような、いわゆる「さす又」にも適用可能である。すなわち、図７のさす又は、円筒状の外側部材４に、円筒状の内側部材５を挿入して伸縮自在に構成されており、外側部材４と内側部材５の間に上述したロック機構１１を設けることができる。なお、本発明は、作業足場板、さす又に限らず、外側部材に内側部材を挿入して伸縮自在とされた種々の伸縮部材に適用できる。
また、離脱保持手段３５をストッパ１２と支持ブラケット１４の間に設けることもできる。すなわち、上記の実施形態では外側部材に被掛止部３７を設けていたが、この被掛止部３７を支持ブラケット１４の脚部２７に掛止部３６に掛かる突起部を設けたものとし、被係合部１３から離脱したストッパ１２を保持するようにしてもよい。
【産業上の利用可能性】
【００２７】
本発明は、例えば、作業台１の足場板その他の伸縮部材のロック構造に利用できる。
【図面の簡単な説明】
【００２８】
【図１】本発明に係る伸縮部材のロック構造を示す断面図である。
【図２】図１のＡ−Ａ矢示線断面図である。
【図３】本発明に係る伸縮部材のロック構造を示す正面図である。
【図４】本発明に係る伸縮部材のロック構造を適用した作業台を示す正面図である。
【図５】同作業台の正面図である。
【図６】同作業台の平面図である。
【図７】本発明の他の例を示す斜視図である。
【符号の説明】
【００２９】
４    外側部材
５    内側部材
１１    ロック機構
１２    ストッパ
１３    被係合部
１４    支持ブラケット
１５    付勢部材
２１    係合部
２３    操作腕部
２５    貫通孔
２７    脚部
２８    連結部
３５    離脱保持手段
３６    掛止部
３７    被掛止部
【図１】
0004648796.tif 000002
【図２】
0004648796.tif 000003
【図３】
0004648796.tif 000004
【図４】
0004648796.tif 000005
【図５】
0004648796.tif 000006
【図６】
0004648796.tif 000007
【図７】
0004648796.tif 000008